(57)【特許請求の範囲】
【請求項１】
パイプを抱持する２つ割バンド本体の一対の取付片部で建屋に固設される足部材を挟み込み、この一対の取付片部及び足部材にはボルトの軸部を挿通する１以上の貫通孔が各々開設され、上記ボルト及びナットで一対の取付片部を上記足部材に固着するパイプ支持バンドの仮止め具であって、
一方の取付片部の片面に添装される取付ベースと、この取付ベースの上記添装状態で上記貫通孔に対応する位置に形成されたボルト係止用空所と、上記取付ベースの上端及び／又は下端から略垂直方向に延設され、他方の取付片部に係止する係止爪を設けた片部とよりなり、上記片部には、取付ベースを上記取付片部と共にボルト及びナットにより足部材に固着した後、該片部の先側を上記取付片部の外側面に折曲展装し得る折曲促進部を形成したことを特徴とするパイプ支持バンドの仮止め具。
【請求項２】
請求項１において、
上記ボルト係止用空所は、ボルト係止用孔部によって形成されているパイプ支持バンドの仮止め具。
【請求項３】
請求項１において、
上記ボルト係止用空所は、取付ベースの側辺部より切り欠かれ上記添装状態で上記貫通孔に対応する位置にまで延びるボルト係止用切欠部によって形成されているパイプ支持バンドの仮止め具。
【請求項４】
請求項１において、
上記ボルト係止用空所は、取付ベースに形成されたボルト挿通孔と、このボルト挿通孔に連なり上記添装状態で上記貫通孔に対応する位置にまで延びるボルト係止用長孔部とによって形成されているパイプ支持バンドの仮止め具。
【請求項５】
請求項１乃至４のいずれかにおいて、
上記折曲促進部は、取付ベースの肉厚を線状に薄肉とする溝によって形成されたものであるパイプ支持バンドの仮止め具。
【請求項６】
請求項１乃至４のいずれかにおいて、
上記折曲促進部は、取付ベースの幅を実質的に狭める切込みによって形成されたものであるパイプ支持バンドの仮止め具。
【請求項７】
請求項１乃至４のいずれかにおいて、
上記折曲促進部は、取付ベースの幅を実質的に狭める小孔によって形成されたものであるパイプ支持バンドの仮止め具。
【請求項８】
請求項１乃至７のいずれかにおいて、
上記折曲促進部が、上記溝、切込み及び小孔のいずれかの組合せからなるパイプ支持バンドの仮止め具。
【請求項９】
請求項１乃至８のいずれかにおいて、
上記片部は、上記取付ベースの上端及び下端から、略並行に各々延設された一対の上片部及び下片部で構成されているパイプ支持バンドの仮止め具。
【請求項１０】
請求項１乃至９のいずれかにおいて、
上記片部には、取付ベースとにより上記一方の取付片部を把持する第２の係止爪が更に設けられているパイプ支持バンドの仮止め具。
【請求項１１】
請求項１乃至１０のいずれかにおいて、
上記ボルト係止用空所の外側にボルト頭部の廻り止め部を形成しているパイプ支持バンドの仮止め具。
【請求項１２】
請求項１乃至１１のいずれかにおいて、
上記取付ベースの取付片部又は足部材添装面側に隆起突部が形成されているパイプ支持バンドの仮止め具。
【発明の詳細な説明】
【０００１】
【発明の属する技術分野】
本発明は、建築物の壁面、天井面等に沿って配設されるパイプを抱持支承するパイプ支持バンドの仮止め具に関し、詳しくは、パイプを抱持する２つ割バンド本体の一対の取付片部で足部材を挟み込み、ボルト、ナットで両者を固着するパイプ支持バンドの仮止め具に関する。
【０００２】
【従来の技術】
特許文献１は、本出願人が先に提案したパイプ支持バンド用仮止め具の一例を示すものである。この従来技術によれば、マンション等の高層建築物の壁面等に沿って、縦樋等のパイプを配設するに際し、基部が互いにヒンジ結合された２つ割りのバンド本体をパイプの周体に抱持させ、各バンド本体の先端に形成された取付片部を、壁面等に取付けられた足部材を挟み込むように重合させ、且つ後記する仮止め具を添装して、これらを一体的にボルト・ナットで締結することにより壁面等への配設がなされる。
【０００３】
上記仮止め具は板金材等からなり、一方の取付片部の片面に添装される取付ベースと、その上下端部から垂直に延設された互いに並行な上下一対の片部とより構成される。この片部には一方の取付片部及び他方の取付片部にそれぞれ係止する２種の係止爪を備え、また、取付ベースには取付片部に開設されたボルト用貫通孔に対応する位置に、開口径がボルト軸部の山径よりやや小さく且つ遠心方向の切込み部を備えたボルト係止用孔が設けられている。
【０００４】
このような仮止め具を用いて、上記バンド本体によりパイプを建屋の壁面等に配設する場合、予め、取付ベース側の上記係止爪を一方の取付片部に係止させて取付ベースをこの取付片部の片面に添装させ、ボルトを取付ベースに形成された上記ボルト係止用孔に圧入させると共に取付片部に開設された貫通孔に貫挿させておく。次いで、壁面等に取付けられた上記足部材の貫通孔（長孔）に上記ボルトを挿通させ、パイプの周体に２つ割りバンド本体を抱持させる。そして、他方の取付片部を、上記もう一方の係止爪に係止させつつ、この取付片部に開設された貫通孔に上記ボルトを貫挿させ、該ボルトにナットを螺合させて上記締結固着がなされる。
【０００５】
上記のような仮止め具を用いたパイプの配設作業においては、取付ベースに形成されたボルト係止用孔の開口径がボルト軸部の山径より小さくされているから、このボルト係止用孔及び上記貫通孔にボルトを貫挿させた状態では、その抜けが防止され、作業中ボルトから手を離しても、ボルトが抜け出して落下するような懸念がない。
【０００６】
また、片部に形成された２種の係止爪により、足部材を挟みこんだ状態で両バンド本体の取付片部が重合状態に維持されるから、ナットの締付前においてバンド本体から手を離してもバンド本体が外れることがない。したがって、作業者は両手がフリーとなり、パイプを抱持しながらのボルト・ナットの締付作業を効率よく行うことができる。特に、マンション等の高層建築物の危険な高所作業を伴う建築現場においては、このような作業性の良さは安全性の点でも極めて高く評価されている。
【０００７】
【特許文献１】
特許第３３６４４６８号公報
【０００８】
【発明が解決しようとする課題】
この種のパイプ支持バンドの仮止め具は、ボルト・ナットの締付作業が完了するまでは極めて有効なものであるが、締付作業後は不要となり、仮止め具の利用価値はなくなってしまう。このような不要となった仮止め具を施工後も放置しておくと、見映えが悪いばかりでなく、雨水が溜まりやすくなり、錆の発生や劣化が促進されるという問題がある。
【０００９】
特に、片部の先端部や先端に形成された係止爪などのはみ出た部分は、施工後、一般の人が引っ掛ける懸念があり、安全を配慮したパイプ支持バンドの仮止め具の提案が望まれていた。
【００１０】
本発明は、上記に鑑みなされたものであり、作業中のボルトの抜け落ち防止を図ることができることに加えて、施工後の仮止め具の安全性の向上を図ることができるパイプ支持バンドの仮止め具を提供するものである。
【００１１】
【課題を解決するための手段】
上記目的を達成するため、請求項１の発明に係るパイプ支持バンドの仮止め具は、パイプを抱持する２つ割バンド本体の一対の取付片部で建屋に固設される足部材を挟み込み、この一対の取付片部及び足部材にはボルトの軸部を挿通する１以上の貫通孔が各々開設され、ボルト及びナットで一対の取付片部を足部材に固着するパイプ支持バンドの仮止め具であって、一方の取付片部の片面に添装される取付ベースと、この取付ベースの添装状態で上記貫通孔に対応する位置に形成されたボルト係止用空所と、取付ベースの上端及び／又は下端から略垂直方向に延設され、他方の取付片部に係止する係止爪を設けた片部とよりなり、片部には、取付ベースを取付片部と共にボルト及びナットにより足部材に固着した後、該片部の先側を取付片部の外側面に折曲展装し得る折曲促進部を形成したことを特徴とする。
【００１２】
即ちこの構成によれば、片部の折曲促進部から先の部分を、手やハンマーなどで容易に折り曲げて突出部分をなくすことができ、その結果、手等を引っ掛ける懸念がなく、また見映えもシンプルとなる。更に雨水の溜まり部分が少なくなって、錆の発生や劣化の促進も少なくなる。
【００１３】
請求項２〜４では、ボルト係止手段であるボルト係止用空所が各種態様の孔部、切欠き部によって形成されている。
【００１４】
請求項２の発明に係るパイプ支持バンドの仮止め具は、請求項１における上記ボルト係止用空所がボルト係止用孔部によって形成されていることを特徴とする。
【００１５】
請求項３の発明に係るパイプ支持バンドの仮止め具は、上記ボルト係止用空所は、取付ベースの側辺部より切り欠かれ上記添装状態で上記貫通孔に対応する位置にまで延びるボルト係止用切欠部によって形成されていることを特徴とする。
【００１６】
請求項４の発明に係るパイプ支持バンドの仮止め具は、上記ボルト係止用空所は、取付ベースに形成されたボルト挿通孔と、このボルト挿通孔に連なり上記添装状態で上記貫通孔に対応する位置にまで延びるボルト係止用長孔部とによって形成されていることを特徴とする。
【００１７】
請求項５の発明に係るパイプ支持バンドの仮止め具は、請求項１乃至４のいずれかにおいて、折曲促進部が取付ベースの肉厚を線状に薄肉とする溝によって形成されたものであることを特徴とする。これにより、折曲促進部から先の部分を容易に折り曲げることができる。
【００１８】
請求項６の発明に係るパイプ支持バンドの仮止め具は、請求項１乃至４のいずれかにおいて、折曲促進部は、取付ベースの幅を実質的に狭める切込みによって形成されたものであることを特徴とし、折り曲げの容易性を高めるようにしたものである。
【００１９】
請求項７の発明に係るパイプ支持バンドの仮止め具は、請求項１乃至４のいずれかにおいて、折曲促進部は、取付ベースの幅を実質的に狭める小孔によって形成されたものであり、折り曲げの容易性を高めるようにしたものである。
【００２０】
請求項８の発明に係るパイプ支持バンドの仮止め具は、請求項１乃至７のいずれかにおいて、折曲促進部が、溝、切込み及び小孔のいずれかの組合せからなることを特徴とする。
【００２１】
請求項９の発明に係るパイプ支持バンドの仮止め具は、請求項１乃至８のいずれかにおいて、片部は、取付ベースの上端及び下端から、略並行に各々延設された一対の上片部及び下片部で構成されていることを特徴とし、これにより、他方の取付片部を上下の係止爪で係止し、その仮止めを確実にできる。
【００２２】
請求項１０の発明に係るパイプ支持バンドの仮止め具は、請求項１乃至９のいずれかにおいて、片部には、取付ベースとにより上記一方の取付片部を把持する第２の係止爪が更に設けられていることを特徴とする。したがって、取付ベースを一方の取付片部に添装する際、この第２の係止爪が一方の取付片部に係止され、取付ベースが一方の取付片部から外れ落ちることを防止できる。
【００２３】
請求項１１の発明に係るパイプ支持バンドの仮止め具は、請求項１乃至１０のいずれかにおいて、ボルト係止用空所の外側にボルト頭部の廻り止め部が形成されていることを特徴とする。これによれば、ナットを締め付ける際に、ボルトの頭部が廻り止め部によりその回動が規制され、いわゆる共廻りが生じないから、ナットを回転操作するだけで足部材を挟み込んだ一対の取付片部を容易且つ素早く締め付けでき、作業効率を更に高めることができる。
【００２４】
請求項１２の発明に係るパイプ支持バンドの仮止め具は、請求項１乃至１１のいずれかにおいて、取付ベースの取付片部又は足部材添装面側に隆起突部が形成されていることを特徴とする。このような隆起突部は、ボルト係止用空所の周辺部分に形成することが望ましく、ボルト・ナットにより締結したとき、この隆起突部が取付ベースと取付片部間或いは取付ベースと足部材間に存在することになるから、締結時の締付力によりこの隆起突部に圧縮力が作用する。したがって、その反力が皿ばね或いはスプリングワッシャのような機能を奏し、ボルトの緩みを抑制する。
【００２５】
【発明の実施の形態】
以下、本発明に係るパイプ支持バンドの仮止め具の実施形態を図面に基づき説明する。図１は本発明に係るパイプ支持バンドの仮止め具を用いたパイプ固定要領を示す分解斜視図、図２は本発明に係る仮止め具の第１の実施形態を示す斜視図、図３は同取付要領を示す縦断面図である。
【００２６】
図１におけるパイプ支持バンドＡは、一般的な従来品であり、図中想像線で示すパイプＰを抱持すべく、基部がヒンジピン１０を介して結合され開閉する２つ割バンド本体１、１の先側一対の取付片部１１、１１で、基端を建屋の壁面等に固定した足部材２の足本体２１を挟み込み、両者をボルト３とナット４で締結固着するようにしている。一対の取付片部１１、１１には、互いに対応する位置に、ボルト３の軸部３１を挿通する２個の貫通孔１２、１２が開設され、足部材２の足本体２１には、ボルト３の軸部３１を挿通する貫通孔としての長孔２２が開設されている。
【００２７】
パイプ支持バンドＡは、図１のようにパイプＰの周体に２つ割バンド本体１、１をして抱持され、一対の取付片部１１、１１を足部材２の足本体２１を挟み込むようにして重合させ、ボルト３及びナット４により取付片部１１、１１が足部材２に締結・固着されるが、この締結・固着の際に本発明の仮止め具５が使用される。
【００２８】
図例の仮止め具５は、ばね鋼、ステンレス板、アルミ板、銅板等の板金材からなり、取付片部１１、１１の一方の片面に添装される取付ベース５０と、この取付ベース５０に上記２つの貫通孔１２、１２と対応する位置に形成されたボルト係止用孔部（ボルト係止用空所）５１、５１と、この取付ベース５０の上端及び下端から略垂直方向に延設され、他方の取付片部１１に係止する係止爪５２ａ、５２ａを先端に設けた片部５２、５２とにより基本的に構成されている。
【００２９】
上記ボルト係止用孔部５１、５１の開口縁部には、内径がボルト軸部３１の山径よりやや小さい短筒部５３、５３がボルト挿通方向に突設されている。また、片部５２、５２の取付ベース５０側に、取付ベース５０が添装される取付片部１１に係止する第２の係止爪５２ｂ、５２ｂが切起こし形成されている。更に、取付ベース５０には、ボルト係止用孔部５１、５１の近傍位置にボルト頭部３２の側辺に当接するボルト３の廻り止め部５４…が折曲げ形成されている。
【００３０】
このような仮止め具５を用い、パイプ支持バンドＡによりパイプＰを建屋の壁面（不図示）に配設する要領について、図１及び図３に基づき説明する。先ず、図３（ａ）に示すように、仮止め具５のボルト係止用孔部５１にボルト３の軸部３１を挿通させる。この場合、ボルト係止用孔部５１の開口縁部に突設された短筒部５３の内径は、ボルト軸部３１の山径よりやや小さくされているから、ボルト３はボルト係止用孔部５１に叩き込むように圧入される。ボルト係止用孔部５１には鋭利なエッジ部等が存在せず、短筒部５３がガイド筒として機能するから、この圧入の際にねじ山部が損耗するようなことがない。しかも、ボルトの挿通状態においては、短筒部５３の拘束作用によってボルト３が抜け落ちることがない。
【００３１】
次いで、図１のようにパイプＰの周体に仮抱持させた２つ割バンド本体１、１の一方の取付片部１１に、仮止め具５を係止させる。即ち、図３（ｂ）に示すように、取付片部１１に開設された貫通孔１２にボルト３の軸部３１を挿通させながら、第２の係止爪５２ｂ、５２ｂを押し開くようにして取付ベース５０を取付片部１１の片面側に添装させる。この状態では、取付ベース５０の裏面と弾性復元した第２の係止爪５２ｂ、５２ｂとにより、取付片部１１が挟まれるようになり、仮止め具５は手離しても脱落する懸念なく取付片部１１に安定的に係止される。この状態で施工現場等に持ち運ばれる。
【００３２】
更に、図３（ｃ）に示すように、足部材２の長孔２２にボルト３の軸部３１を挿通させ、引き続き、他方の取付片部１１をその貫通孔１２にボルト３の軸部３１を挿通させながら、係止爪５２ａ、５２ａを押し開くようにして足本体２１の片面側に添装するよう押し込む。この状態では、係止爪５２ａ、５２ａが、弾性復元して、上記他方の取付片部１１の外面側に当接するよう位置するから、この取付片部１１及び足本体２１が外れることがなく、取付片部１１、１１及び足本体２１の重合状態が維持される。
【００３３】
なお、他方の取付片部１１を重合させる作業において、上記２つ割バンド本体１、１の一方が上下にずれていることがあるが、このような場合でも、ボルト３の軸部３１が短筒部５３による支持部を支点として揺動が許容されているから、ボルト軸部３１の貫通孔１２への誘導がし易く、作業が効率的になされる。
【００３４】
上記のように重合状態を維持した状態で、図３（ｃ）に示すように、ナット４をボルト３の軸部３１に螺装締結がなされる。この場合、取付片部１１、１１及び足本体２１は、仮止め具５およびボルト３により重合状態が維持されており、しかもボルト３の頭部３２が廻り止め部５４に当接してその廻り止め（共廻り止め）がなされているから、作業者は、その両手をパイプＰの抱持とナット４の締付操作に供することができ、極めて安全且つ効率的にその作業を行うことができる。
【００３５】
上記のような締結作業によって、パイプ支持バンドＡはパイプＰを抱持し、この先側の取付片部１１、１１が足本体２１を挟み込むように足部材２に締結固着される。ボルト３及びナット４による締結状態では、上記短筒部５３が取付ベース５０と取付片部１１との間に挟圧状態で介在されることになるから、この隆起突部としての短筒部５３の復元反力により、皿ばね或いはスプリングワッシャのような機能が発現され、取付片部１１、１１及び足本体２１の強固な緊合重合状態が維持される。なお、このような皿ばね等の機能を更に助長させる為に、取付ベース５０の取付片部１１添装側面に隆起突部を形成することも望ましい。
【００３６】
図４は、ボルト係止用孔部５１及び短筒部５３の概略的説明図であり、（ａ）は平面図、（ｂ）は（ａ）にけるＸ−Ｘ線断面図、（ｃ）はその変形例を示す。図４（ａ）（ｂ）において、ボルト係止用孔部５１の開口縁部に突設された短筒部５３は、内径が先行縮径するテーパー状に形成されており、その最小内径ｄがボルトの山径よりやや小さく設定されている。
【００３７】
このようにテーパー状に形成されていると、ガイド機能が付加され、ボルトの圧入挿通の際の作業性が向上する。この短筒部５３には放射状の切込部（スリット）５３ａが複数周方向に略等間隔で形成されている。この切込部５３ａは、ボルトの圧入の際、短筒部５３の壁部が拡開するのを助長し、ボルトの圧入挿通をし易くするもので、このような線状のものに限らず、星形や花形に形成することも可能である。
【００３８】
図４（ｃ）は、短筒部５３が直状であることを示し、その内径ｄがやはりボルトの山径よりやや小さく設定されている。この例の場合は、図４（ｂ）のようなテーパー状のものに比べボルトの挿入ガイド機能はやや劣るが、同様に好ましく採用される。このような短筒部５３は、仮止め具５を板金加工により製する場合はバーリング加工によって形成される。
【００３９】
図５（ａ）（ｂ）（ｃ）は、上記ボルトの廻り止め部５４の変形例を示す。図５（ａ）の廻り止め部５４ａは、取付ベース５０に２条の切込みを入れ、絞り加工によりブリッジ状に隆起させたものである。図５（ｂ）の廻り止め部５４ｂは、取付ベース５０に切起こし加工を施し舌片状に形成したものである。図例の廻り止め部５４ｂは斜めに切起こされたものであるが、取付ベース５０に対して略垂直に切起こされたものであってもよい。また、図５（ｃ）の廻り止め部５４ｃは、取付ベース５０の上下辺部を断面半円形の突状に曲成したものである。
【００４０】
これら廻り止め部５４ａ、５４ｂ、５４ｃは、ボルト係止用孔部５１にボルトを挿通した状態では、ボルト頭部の側部が当接し、ナットの螺装締結作業時において、ボルトの共廻りを阻止するべく機能する。図例ではいずれも上下一対形成した例が示されているが、いずれか一方のみとすること、或いは３個以上設けることも可能である。形状も図例のものに限定されず他の形状も採用可能である。
【００４１】
図２において、２点鎖線で示す部分５５、５５は、上記ボルト３及びナット４による締結後、上下片部５２、５２を含んで破断除去する為に形成された破断促進部を示す。本発明に係る仮止め具５は、上記のように取付片部１１、１１をボルト３及びナット４により足部材２に重合固着させる際に、文字通りこれら部材同士を仮止めする為に用いられるもので、元来重合固着後は不要とされるものである。しかも、その構造上、特に上下の片部５２、５２が突出するため、これに手などを引っ掛けてけがをする恐れがあり、また仮止め具５が目立ち見映えもよくない。更に、雨水が溜まり易く、錆の原因ともなり、劣化が促進されることにもなる。
【００４２】
上記破断促進部５５、５５は、このような難点を極力払拭する為に形成されたもので、図６（ａ）〜（ｈ）は、その種々の形成態様を示すものである。図６（ａ）の破断促進部５５ａは、取付ベース５０の肉厚を線状に薄くする小凹溝によってその幅方向全幅に亘って形成されたものであり、図６（ｂ）の破断促進部５５ｂは、取付ベース５０の幅方向中央部を残してこの小凹溝を形成したものである。
【００４３】
また、図６（ｃ）の破断促進部５５ｃは、上記小凹溝と取付ベース５０の両側辺部からの切込みとを併用したものであり、図６（ｄ）の破断促進部５５ｄは、小凹溝と穿孔とを併用したもの、図６（ｅ）の破断促進部５５ｅは、取付ベース５０の両側辺部からの切込みのみによるものである。更に、図６（ｆ）の破断促進部５５ｆは、切込みと穿孔とを併用したもの、図６（ｇ）の破断促進部５５ｇは、楕円もしくは長円状の長孔によるもの、そして図６（ｈ）の破断促進部５５ｈは、多数の小穿孔によりノッチ状に形成したものを夫々示す。
【００４４】
このような破断促進部５５ａ〜ｈは、取付ベース５０の肉厚を薄くし、或いは実質的に取付ベース５０の幅を狭めるものであり、上記のように取付片部１１、１１をボルト３及びナット４により足部材２に重合固着させた後、上下の片部５２、５２を反り曲げるようにすれば、これら破断促進部５５ａ〜ｈから片部５２、５２が破断除去される。
【００４５】
したがって、上記重合固着状態においては、仮止め具５は、取付ベース５０のみが残り、突出する部分が除去されるから、上記のように手等を引っ掛ける懸念がなく、また見映えもシンプルとなり、更に雨水の溜まり部分が少なくなって、錆の発生や劣化の促進も少なくなる。
【００４６】
図２では、更に上下片部５２、５２の先側に２点鎖線で示す折曲促進部５６、５６が形成されている。
【００４７】
ボルト３及びナット４による締結後には、上記のように仮止め具５の取付ベース５０以外の部分は不要なものとなるが、特に、片部５２、５２の先側は、仮止め具５を取り付けた取付片部１１とは別の取付片部１１の外側面に突出した状態となるので、施工後そのまま放置しておけば一般人がけがをするおそれがある。
【００４８】
この折曲促進部５６、５６は、上記破断促進部５５ａ〜ｈにより片部５２、５２を破断除去しないまでも、上下片部５２、５２の先側突出部分を、他方の取付片部１１の外側面に、手やハンマー等により叩き込み折曲展装させるようにしたものである。図７（ａ）には、片部５２、５２の先側を折曲展装させた状態の斜視図を、（ｂ）には断面図を示している。図に示すように、片部５２、５２の先側は折り曲げられ、係止爪５２ａも含めて展装される。
【００４９】
この折曲促進部５６、５６としては、図６に示す破断促進部５５ａ〜ｈと同じような形成態様のもの５６ａ〜ｈが採用可能である。上記と同様各部材を重合固着させた後、片部５２、５２の先側を殴打し、折曲促進部５６、５６から折曲して他方の取付片部１１の外側面に展装させると、上記同様突出部分がなくなり、手等を引っ掛ける懸念がなく、また見映えもシンプルとなる。また、突出部分を切断除去するわけではないので、廃棄物も出ない。
【００５０】
図８は、第１の実施形態の変形例を示し、取付ベース５０の上下端から、断面半円形の突条に曲成して、上下並行に片部５２、５２を延設したものである。この断面半円形の突条部分５４ｄ、５４ｄの間隔は、六角ボルト頭部の対向辺間距離に略等しいかやや大きく設定されている。
【００５１】
したがって、前述と同様にボルトをボルト係止用孔部５１、５１に挿通し、取付片部を足部材に重合しナットにより螺装締結する際、ボルトの頭部がこの突条部分５４ｄ、５４ｄ間に嵌り込むようになるので、これによりボルトの回転が規制され、ボルトの廻り止め機能を奏することになる。
【００５２】
また、この突条部分５４ｄ、５４ｄの曲成基部５５ｉ、５５ｉは、曲成加工の際に応力が集中するので脆くなっており、上記ナットにより螺装締結した後、片部５２、５２を反り曲げるようにすれば、この曲成基部５５ｉ、５５ｉより片部５２、５２が破断除去可能となる。特に、ナットによる螺装締結時にボルト頭部の回転応力が突条部分５４ｄ、５４ｄに付加され、この応力が曲成基部５５ｉ、５５ｉに更に蓄積されるから、より破断除去がし易くなる。
【００５３】
このように、曲成基部５５ｉ、５５ｉは、上記の破断促進部と同様の機能を奏するので、この例の場合は別途破断促進部を形成することを要しないのである。その他の構成は、上記と同様であるので、共通部分には同一の符号を付し、その説明を割愛する。
【００５４】
図９に示す例は、別の変形例であり、上下一対の片部５２、５２の先側部分が互いに開くよう折曲されて、上記パイプ支持バンドＡにおける他方の取付片部１１を導入し易くする為のガイド部５７、５７とされている。
【００５５】
このようなガイド部５７、５７を設けると、取付片部１１を導入し係止爪５２ａ、５２ａに係止させて仮止めする作業がし易く、作業の合理化が図られる。また破断促進部５５、５５から片部５２、５２を破断除去する場合、このガイド部５７、５７が把持部となるので、摘み易く破断除去作業等の施工性が大変良好となる。その他の構成は、上記と同様であるので、ここでも共通部分には同一の符号を付し、その説明を割愛する。
【００５６】
図１０は、更に別の変形例であり、取付ベース５０が、一方の取付片部１１と足本体２１との間に添装されるタイプの仮止め具５であることを示す。上記各例では仮止め具５の取付ベース５０が取付片部１１の外側面に添装されるが、この場合折り曲げ延設された片部５２、５２と取付片部１１との間に雨水が溜まり易く、錆の発生の原因となり、或いは劣化を促進することが予想される。また、取付片部１１の外側面にはパイプ支持バンドＡの品番やメーカー名等が標示されていることが多く、この面が取付ベース５０で覆われてしまうと、現場合せに支障を来たしたり、或いは商品の宣伝効果が減退したりすることにもなる。
【００５７】
本例では、取付ベース５０の上下端から、片部５２、５２の延設方向とは反対の方向に、第２の係止爪５２ｂ、５２ｂを突出するよう設け、これにより仮止め具５を取付片部１１の一方に係止するようにしている。したがって、この取付片部１１の上辺部には第２の係止爪５２ｂのみが存在し、空間部分が多くなるからこの部分に雨水等が溜まりにくくなる。また、標示等がなされる取付片部１１の外側面が取付ベース５０で覆われず、露出部分が多いからこの標示等が読み取れる状態に維持される。
【００５８】
図１１は、図１０に示す仮止め具５を用いて取付片部１１、１１を足部材２に重合固着する要領を示す図である。この場合、先ず、一方の取付片部１１の貫通孔１２にボルト３の軸部３１を挿通させ、次いで取付ベース５０のボルト係止用孔部５１及び短筒部５３にボルト３の軸部３１を圧入する。その後は、上記と同じ要領で足部材２の足本体２１及び他方の取付片部１１の夫々の長孔２２及び貫通孔１２にボルト３の軸部３１を挿通させ、図１１のように仮止め具５により取付片部１１、１１及び足本体２１を仮止めする。そして、ナット４をボルト３の軸部３１に螺装締結させ、これら部材を緊合固着状態とする。
【００５９】
この仮止め具５の取付ベース５０には図９に示すようにボルト係止用孔部５１の近傍部に複数の隆起突部５８…が形成されており、図１１のようにボルト３及びナット４により螺装締結する際、この隆起突部５８…が取付ベース５０と取付片部１１との間に介在し、両者によって挟圧されることになるから、その復元反力により、皿ばね或いはスプリングワッシャのようなボルトの緩みを防止する機能が発現され、上記緊合固着状態が長く維持される。その他の構成は上記の例と同様であるので、ここでも共通部分には同一の符号を付しその説明を割愛する。
【００６０】
図１２及び図１３は、本発明に係る仮止め具の第２の実施形態を示すものである。図１２は、本実施形態の仮止め具６の要部のみを示しており、その全体形状は省略されている。本仮止め具６は樹脂の成形品からなり、厚みのある取付ベース６０には、ボルト３の軸部３１を遊挿し得るボルト係止用孔部６１が開設され、このボルト係止用孔部６１に連なりこれと同心的にボルト頭部の収容穴６２が凹設されている。更に、該収容穴６２の開口周縁部には求心方向の弾性片６３、６３が連成されており、この弾性片６３、６３は、ボルト３をボルト係止用孔部６１に挿通させた時には、ボルト３の頭部頂面に当接し、ボルト頭部押え部として機能するものである。
【００６１】
図１３は、本実施形態においてボルトを挿通させる要領を示す断面図である。取付ベース６０に開設されたボルト係止用孔部６１の内径は、ボルト３の軸部３１の山径よりやや大とされ、ボルト軸部３１はボルト係止用孔部６１に抵抗なく遊挿される。また、対向する２つの弾性片６３、６３間の距離は、ボルト頭部３２の外径（六角ボルトの場合、対向辺間距離）より小とされている。
【００６２】
したがって、図１３のようにボルト軸部３１をボルト係止用孔部６１に挿通させる際、ボルト頭部３２の下面が弾性片６３、６３に当たるが、これに抗して更にボルト３を押し込むようにすれば、弾性片６３、６３が弾性変形する。そして、ボルト頭部３２の下面が収容穴６２の底にまで達した時には、弾性片６３、６３が弾性復元して、図１３に示すようにボルト頭部３２の頂面に当接するようになる。この状態では、ボルト頭部３２が弾性片６３、６３により規制されるから、ボルトの抜け出しが防止される。
【００６３】
なお、図１２においては、ボルト頭部収容穴６２の形状を円形としたが、このボルト頭部収容穴６２にボルトの廻り止め手段、例えば収容穴６２内に平行な壁部を設けること、或いは形状をボルト頭部の形状（六角形、四角形等）としてボルト頭部が嵌装し得るようにする等適宜採択される。また、図１２は仮止め具６の要部だけを示しているが、取付ベース６０には上記と同様の片部や係止爪等が形成され、上記各実施形態と同様の機能を奏するよう構成されるものである。但し、図１０及び図１１に示す実施形態には、その特性上本実施形態は適用されない。
【００６４】
また、第１の実施形態における仮止め具５を板金材で構成する例について述べたが、これを第２の実施形態である仮止め具６と同様、樹脂の成形品により構成することも可能である。更に、建屋の壁面にパイプを配設施工する例について述べたが、天井面等に配設施工する場合にも適用され得ることは言うまでもない。
【００６５】
次に、取付ベースの側辺部に切欠部を設けたタイプの仮止め具の第３の実施形態について説明する。
【００６６】
図１４は、パイプ支持バンドの仮止め具を用いたパイプ固定要領を示す分解斜視図である。なお、図１５は本発明に係る仮止め具の第３の実施形態を示す斜視図、図１６は同取付要領を示す縦断面図である。この例では、後述するボルト係止用切欠部７１が、ボルト係止手段すなわちボルト係止用空所を構成する。
【００６７】
図１４〜１６の例に示した仮止め具７は、ばね鋼、ステンレス板、アルミ板、銅板等の板金材からなり、取付片部１１、１１の一方の片面に添装される取付ベース７０と、この取付ベース７０にその側辺部から上記２つの貫通孔１２、１２と対応する位置にまで延びるよう切欠き形成されたボルト係止用切欠部７１、７１と、この取付ベース７０の上端及び下端から略垂直方向に延設され、他方の取付片部１１に係止する係止爪７２ａ、７２ａを先端に設けた片部７２、７２とにより基本的に構成されている。
【００６８】
上記ボルト係止用切欠部７１、７１の切欠幅寸法ｄは、ボルト軸部３１の山径よりやや小さく且つ谷径よりやや大きく設定されている。片部７２、７２の取付ベース７０側に、取付ベース７０が添装される取付片部１１に係止する第２の係止爪７２ｂ、７２ｂが切起こし形成されている。また、取付ベース７０には、ボルト係止用切欠部７１、７１の近傍位置にボルト頭部３２の側辺に当接するボルト３の廻り止め部７４…が折曲げ形成されている。更に、取付ベース７０の取付片部１１側面であってボルト係止用切欠部７１、７１の周辺部に複数の隆起突部７８…が形成されている。
【００６９】
このような仮止め具７を用い、パイプ支持バンドＡによりパイプＰを建屋の壁面（不図示）等に配設する要領について、図１４及び図１６に基づき説明する。
【００７０】
先ず、図１６（ａ）に示すように、仮止め具７のボルト係止用切欠部７１にボルト３の軸部３１をその切欠開口部より横移動させて係止させる。この場合、ボルト係止用切欠部７１の上記切欠幅寸法ｄは、ボルト軸部３１の山径よりやや小さく且つ谷径よりやや大きくされているから、ボルト係止用切欠部７１の切欠縁部がボルト軸部３１の谷部に嵌り込むように移動して、ボルト３が所定の位置に係止される。この係止によってボルト３が抜け落ちることがなく、しかもボルト３のねじ山には何等衝撃がかからないから、ねじ山部が損耗するようなことがない。
【００７１】
また図１５には、２点鎖線で示しているように、第３の実施形態の仮止め具７においても片部７２、７２には折曲促進部７６が形成されており、これにより、片部７２、７２の先側突出部分を他方の取付片部１１の外側面に、手やハンマー等により叩き込み折曲展装させることができる。
【００７２】
ボルト係止手段であるボルト係止用空所は、上記に説明したボルト係止用孔部５１（図１）、ボルト係止用切欠部７１（図１５）のものに限られず、図１７に示す、いわゆるダルマ型のボルト係止用空所であってもよい。
【００７３】
図１７は、取付ベース８０に形成されるボルト係止手段の他の実施形態を示すものであり、ボルト挿通孔８３と、このボルト挿通孔８３に連なり上記添装状態で取付片部１１の貫通孔に対応する位置にまで延びるボルト係止用長孔部分８３ａとよりなる。ボルト挿通孔８３の径ｄ２はボルト軸部の山径より大とされ、また長孔部分８３ａの幅寸法ｄは、上記と同様ボルト軸部の山径よりやや小さく且つ谷径よりやや大とされている。
【００７４】
したがって、ボルトの軸部をボルト挿通孔８３に挿通し、その後、長孔部分８３ａに沿って横方向（図では左方向）に移動させると、長孔部分８３ａの開口縁部がボルト軸部の谷部に嵌り込み、ボルトは軸方向への抜けが阻止される状態で長孔部分８３ａに係止される。
【００７５】
図１８は、この種のボルト係止用空所８３、８３ａを用いた実施形態であり、取付ベース８０が、一方の取付片部１１と足本体２１と間に添装されるタイプの仮止め具８であることを示す。
【００７６】
この取付ベース８０には、２種の実施形態のボルト係止手段が形成されている。即ち、図における取付ベース８０の右側辺部から開口幅が大きく（ボルト軸部の山径より大きく）切欠かれ８１ａこれに連なるボルト係止用切欠部８１と、図５と同様のボルト挿通孔８３及びこれに連なるボルト係止用長孔部分８３ａとを備える。切欠部分８１ａは、その開口幅がボルト挿通孔８３の径と略同じとされ、形状は略半円形である。
【００７７】
この場合、一方の取付片部１１の貫通孔１２にボルト３の軸部３１を挿通させた後、取付ベース８０の切欠部分８１ａ及びボルト挿通孔８３にボルト３の軸部３１を挿入し、その後、仮止め具８を横移動させて、ボルト３の軸部３１をボルト係止用切欠部８１及びボルト係止用長孔部分８３ａに係止させる。
【００７８】
図１８の仮止め具８においても、２点鎖線で示しているように、片部８２、８２には折曲促進部８６が形成されており、これにより、片部８２、８２の先側突出部分を他方の取付片部１１の外側面に、手やハンマー等により叩き込み折曲展装させることができる。
【００７９】
なお、以上に説明した各種の実施形態において、第２の係止爪は係止構造により不要とすることもできる。
【００８０】
【発明の効果】
請求項１〜１２に記載のパイプ支持バンドの仮止め具は、片部に折曲促進部を形成しているので、取付ベースを取付片部と共に足部材に固着した後、片部の先側を取付片部の外側面に、容易に折曲展装することができる。その結果、固着後の片部の突出部分がなくなり、手等を引っ掛ける懸念がなく、また見映えもシンプルとなる。更に、突出部分を切断除去するわけではないので、廃棄物も出ない。
【００８１】
請求項２〜４では、ボルト係止手段であるボルト係止用空所が、ボルト係止用孔部、ボルト係止用切欠部、またはボルト挿通孔とこれに連なるボルト係止用長孔部によって形成されているので、ボルト係止が容易に行うことができ、作業効率を向上させることができる。
【００８２】
また、請求項５の発明のように、取付ベースの肉厚を薄くした線状溝により折曲促進部を形成すれば、ハンマー等の道具を使うことなく素手で、片部の先側を容易に折り曲げることができる。
【００８３】
請求項６の発明では、折曲促進部が取付ベースの幅を狭める切込みによって形成されているので、請求項２と同様、片部の先側を容易に折り曲げることができる。
【００８４】
また請求項７の発明でも、取付ベースに小孔を設けて、取付ベースの幅を実質的に狭めるようにしているので、片部の折り曲げが容易に行える。
【００８５】
請求項８では、上記溝、切込み及び小孔のいずれかを組み合わせて折曲促進部を形成しているので、更に容易に折り曲げることができる。
【００８６】
また更に、請求項９乃至１２に記載の発明によれば、上記折曲促進部による危険防止等の効果のほかに、以下に示す効果も有する。
【００８７】
請求項９では、片部が、取付ベースの上端及び下端から、略並行に各々延設された一対の上片部及び下片部で構成されているから、他方の取付片部を上、下の係止爪で係止し、その仮止めを確実にできる。
【００８８】
請求項１０では、片部には、取付ベースとにより一方の取付片部を把持する第２の係止爪が更に設けられているので取付ベースを一方の取付片部に添装する際、この第２の係止爪が一方の取付片部に係止され、取付ベースが一方の取付片部から外れ落ちることを防止できる。
【００８９】
請求項１１では、ボルト係止用空所の外側にボルト頭部の廻り止め部が形成されているので、ナットを締め付ける際に、ボルトの頭部が廻り止め部によりその回動が規制され、ナットを回転操作するだけで足部材を挟み込んだ一対の取付片部を容易且つ素早く締め付けでき、作業効率を更に高めることができる。
【００９０】
請求項１２では、取付ベースの取付片部又は足部材添装面側に隆起突部が形成されているので、ボルト・ナットにより締結したとき、この隆起突部が取付ベースと取付片部間或いは取付ベースと足部材間に存在することになり、締結時の締付力によりこの隆起突部に圧縮力が作用する。したがって、その反力が皿ばね或いはスプリングワッシャのような機能を奏し、ボルトの緩みを抑制する。
【図面の簡単な説明】
【図１】本発明に係るパイプ支持バンドの仮止め具を用いたパイプ固定要領を示す分解斜視図である。
【図２】本発明に係る仮止め具の第１の実施形態を示す斜視図である。
【図３】同取付要領を示す縦断面図であり、（ａ）は仮止め具にボルトを挿通させた状態を、（ｂ）は取付部片の一方に仮止め具を係止させた状態を、（ｃ）は重合された一対の取付片部及び足部材に仮止め具を係止させた状態を夫々示す。
【図４】ボルト係止用孔部及び短筒部の概略的説明図であり、（ａ）は平面図、（ｂ）は（ａ）にけるＸ−Ｘ線断面図、（ｃ）はその変形例を示す。
【図５】（ａ）（ｂ）（ｃ）はボルトの廻り止め部の変形例を示す要部の斜視図である。
【図６】（ａ）〜（ｈ）は、破断促進部の種々の形成態様を示す要部の平面図である。
【図７】（ａ）は折曲促進部で折曲展装した状態の、本発明に係る仮止め具の斜視図であり、（ｂ）は同断面図である。
【図８】第１の実施形態の変形例を示す斜視図である。
【図９】第１の実施形態の別の変形例を示す斜視図である。
【図１０】第１の実施形態の更に別の変形例を示す斜視図である。
【図１１】同取付要領を示す縦断面図である。
【図１２】第２の実施形態の要部を示す斜視図である。
【図１３】同ボルト挿通要領を示す縦断面図である。
【図１４】本発明に係る仮止め具の第３の実施形態を示したもので、この仮止め具を用いたパイプ固定要領を示す分解斜視図である。
【図１５】本発明に係る仮止め具の第３の実施形態を示す斜視図である。
【図１６】同取付要領を示す縦断面図であり、（ａ）は仮止め具にボルトを挿通させた状態を、（ｂ）は取付部片の一方に仮止め具を係止させた状態を、（ｃ）は重合された一対の取付部片及び足部材に仮止め具を係止させた状態を夫々示す。
【図１７】ボルト係止手段の他の実施形態を示す図である。
【図１８】本発明に係る仮止め具の他の実施形態を示す斜視図である。
【符号の説明】
Ａ      パイプ支持バンド
Ｐ      パイプ
１      ２つ割バンド本体
１１    取付片部
１２    貫通孔
２      足部材
２１    足本体
２２    長孔
３      ボルト
３１    軸部
３２    頭部
４      ナット
５      仮止め具
５０    取付ベース
５１    ボルト係止用孔部（ボルト係止用空所）
５２    片部
５２ａ  係止爪
５２ｂ  第２の係止爪
５３    短筒部
５４    廻り止め部
５５    破断促進部
５６    折曲促進部
５７    ガイド部
５８    隆起突部
６      仮止め具
６０    取付ベース
６１    ボルト係止用孔部（ボルト係止用空所）
６３    頭部押え部（弾性片）
７      仮止め具
７０    取付ベース
７１    ボルト係止用切欠部（ボルト係止用空所）
７２    片部
７２ａ  係止爪
７２ｂ  第２の係止爪
７４    廻り止め部
７５    破断促進部
７６    折曲促進部
７８    隆起突部
８      仮止め具
８０    取付ベース
８１    ボルト係止用切欠部（ボルト係止用空所）
８１ａ  切欠部分（ボルト係止用空所）
８３    ボルト挿通孔（ボルト係止用空所）
８３ａ  ボルト係止用長孔部分（ボルト係止用空所）
８２    片部
８６    折曲促進部
【図１】
0003717166.tif 000002
【図２】
0003717166.tif 000003
【図３】
0003717166.tif 000004
【図４】
0003717166.tif 000005
【図５】
0003717166.tif 000006
【図６】
0003717166.tif 000007
【図７】
0003717166.tif 000008
【図８】
0003717166.tif 000009
【図９】
0003717166.tif 000010
【図１０】
0003717166.tif 000011
【図１１】
0003717166.tif 000012
【図１２】
0003717166.tif 000013
【図１３】
0003717166.tif 000014
【図１４】
0003717166.tif 000015
【図１５】
0003717166.tif 000016
【図１６】
0003717166.tif 000017
【図１７】
0003717166.tif 000018
【図１８】
0003717166.tif 000019